【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
機器を整備するためのサプライチェーンプロセスを管理するためのコンピュータプログラム製品であって、前記コンピュータプログラム製品は、記憶媒体にコンピュータ読取可能なプログラムコードが具現化されたコンピュータ読取可能な前記記憶媒体を含み、コンピュータ読取可能なプログラムコードは、
顧客のための１組以上の機器整備要求に関連するデータを特定し捉えるための第１の実行可能な部分と、
特定され捉えられたデータに予備的処理をするために、複数の在庫管理、サプライチェーンマネジメント、および機器整備アプリケーションの能力へのアクセスを与えるための第２の実行可能な部分と、
複数のアプリケーションから予備的処理がされたデータを受取るための第３の実行可能な部分と、
顧客が経験した需要特性のプロフィールに基づいて予測方法のライブラリから統計的予測方法を選択し、かつ選択された統計的予測方法を利用して需要予測を生成することによって、１組以上の機器整備要求のソリューションに予備的処理がされたデータを統合するための第４の実行可能な部分とを含む、コンピュータプログラム製品。
【請求項２】
予備的処理がされたデータをソリューションに統合するために、前記第４の実行可能な部分は、
予備的処理がされたデータに基づいて在庫需要を予測するよう動作可能であり、かつ
予測された在庫需要に基づいて製品在庫を最適化するよう動作可能な、請求項１に記載のコンピュータプログラム製品。
【請求項３】
実際の消費を決定するために顧客への製品流れをモニタリングし、
予測された在庫需要と実際の消費との相違を検出し、
検出された相違に応じて警告を送り、
相違を補償するためにストックレベル再注文ポイントへの調整を受取り、かつ
受取られた調整に基づいて予測された在庫需要を精緻化するための、実行可能な部分をさらに含む、請求項２に記載のコンピュータプログラム製品。
【請求項４】
予備的処理がされたデータに基づいて在庫需要を予測するために、前記第４の実行可能
な部分は、予備的処理がされたデータのクリーニング、連結および相関の少なくとも１つについて動作可能である、請求項２に記載のコンピュータプログラム製品。
【請求項５】
予測された在庫需要に基づいて製品在庫を最適化するために、前記第４の実行可能な部分は、注文する予備製品の量および予備製品を引出してくる拠点を推奨するよう動作可能である、請求項２に記載のコンピュータプログラム製品。
【請求項６】
検出された相違に応答して警告を送るために、前記第５の実行可能な部分は、相違の補償に責任を持つ主要な人員に電子メッセージを送るよう動作可能な、請求項３に記載のコンピュータプログラム製品。
【請求項７】
相違の少なくとも１つの根本的原因を決定し、かつ
相違の少なくとも１つの根本的原因をなくすよう試みるためのソリューションを与えるよう動作可能である、実行可能な部分をさらに含む、請求項３に記載のコンピュータプログラム製品。
【請求項８】
予備的処理がされたデータをソリューションに統合するために、前記第４の実行可能な部分は、注文充足計画、資産調達計画、および配送計画の少なくとも１つを生成するよう動作可能である、請求項１に記載のコンピュータプログラム製品。
【請求項９】
実際の消費を決定するための顧客への製品流れをモニタリングするために、前記実行可能な部分は、各サプライチェーン製品のリアルタイム状態、およびサプライチェーン資産の概論の少なくとも１つを生成し、モニタリングするよう動作可能である、請求項３に記載のコンピュータプログラム製品。
【請求項１０】
予備的処理がされたデータをソリューションに統合するために、前記第４の実行可能な部分は、機器の整備に必要な予備部品を保管する配送センタのネットワークの提案された最適化を与えるよう動作可能である、請求項１に記載のコンピュータプログラム製品。
【請求項１１】
提案、サプライチェーンマネジメント責任の遷移、およびサプライチェーンマネジメントの実行の１つ以上について使用するための機器整備のためのサプライチェーンの管理コストの財務見積りを準備するよう動作可能である実行可能な部分をさらに含む、請求項１に記載のコンピュータプログラム製品。
【請求項１２】
コスト、調達リードタイム、修理納期、製造能力、修理能力、部品番号ごとベースではなく類似の部品の年間の製造量または修理量についてのベンダとの長期契約、のうち少なくとも１つに基づいた、消耗品および修理可能な予備部品のプロバイダおよび修理代理店の選択を最適化し、かつ
リードタイムの短縮および原料コストの変動に対するヘッジのうち少なくとも１つについて製造業者または修理代理店に原料を事前配置する時期を特定するように動作可能である実行可能な部分をさらに含む、請求項１に記載のコンピュータプログラム製品。
【請求項１３】
コスト、輸送ネットワークおよび／またはルート、配置される拠点、国際税関を通って輸入および／または輸出される部品の能力、ならびに出荷ごとベースではなく特定されたレベルの輸送についての量契約の機会、のうち少なくとも１つに基づいて輸送ベンダの選択を最適化するよう動作可能である実行可能な部分をさらに含む、請求項１に記載のコンピュータプログラム製品。
【請求項１４】
戦術ベース、日々のベース、部品ごとのベース、戦略ベースおよびグローバルベース、のうち少なくとも１つにおいて追加の在庫の調達および余剰在庫の廃棄を推奨するよう動
作可能である実行可能な部分をさらに含む、請求項１に記載のコンピュータプログラム製品。
【請求項１５】
顧客データベース、輸送ベンダデータベース、倉庫およびストック拠点データベース、修理代理店データベース、製造業者データベース、機器操作者データベース、のうち少なくとも１つとインターフェースする能力により総資産可視性を与えるウェブポータルを通じてすべての資産の拠点を特定するよう動作可能である実行可能な部分をさらに含む、請求項１に記載のコンピュータプログラム製品。
【請求項１６】
契約メトリック、運用メトリック、手元在庫、注文中の在庫、修理中の在庫、およびバックオーダ中の在庫、のうち１つ以上についてレポートを生成するよう動作可能である実行可能な部分をさらに含む、請求項１に記載のコンピュータプログラム製品。
【請求項１７】
戦術的在庫最適化モデルによって充足率目標に最適化された消耗部品をリスト化し、グラフ化し、またはリスト化およびグラフ化するレポートを与えるよう動作可能である実行可能な部分をさらに含む、請求項１に記載のコンピュータプログラム製品。
【請求項１８】
ピース部品使用法および修理可能部品の補給処整備のための製造要求立案モデルとして動作可能である実行可能な部分をさらに含む、請求項１に記載のコンピュータプログラム製品。
【請求項１９】
制限された保管寿命を有するコンポーネントのストックレベルおよび再注文ポイントが調整されるべきか否かを決定するよう動作可能である実行可能な部分をさらに含む、請求項１に記載のコンピュータプログラム製品。
【請求項２０】
主な活動拠点から補給処整備施設へと修理可能な予備部品を戻す時間と前方活動拠点から補給処整備施設へと修理可能な予備部品を戻す時間との比率を決定するよう動作可能である実行可能な部分をさらに含む、請求項１に記載のコンピュータプログラム製品。
【請求項２１】
ストック拠点から主な活動拠点へと運用可能で修理可能な予備部品を出荷する時間とストック拠点から前方活動拠点へと運用可能で修理可能な予備部品を出荷する時間との比率を決定するよう動作可能である実行可能な部分をさらに含む、請求項１に記載のコンピュータプログラム製品。
【請求項２２】
特定の運用モードにおいてコンポーネントが動作する時間のパーセンテージに基づいて個別のコンポーネントの故障率の比率を決定するよう動作可能である実行可能な部分をさらに含む、請求項１に記載のコンピュータプログラム製品。
【請求項２３】
特定され、捉えられ、予備処理がされたデータを共通の測定単位に標準化し、
同じデータ要素の矛盾する値が異なるソースシステムから入手可能であった場合に最良のデータソースを決定し、
不足しているサプライチェーンデータについてデフォルトを与え、かつ
需要、リードタイム、価格、廃棄処分率、修理サイクル時間、当地修理不能（ＮＲＴＳ）率、調達リードタイム、および年間購入率に従って、部品およびコンポーネントに関連するデータを評価するように、動作可能である実行可能な部分をさらに含む、請求項１に記載のコンピュータプログラム製品。
【請求項２４】
生産中止になる部品および生産中止になった、または中止になる予定のピース部品を含む部品のうち１つ以上について寿命購入要求を決定し、かつ
機器が段階的になくされたり処分されたりするときに取外される部品の数についての要
求を決定するように、動作可能である実行可能な部分をさらに含む、請求項１に記載のコンピュータプログラム製品。
【請求項２５】
部品がＯＥＭ保証下でカバーされている場合の製造業者の実際の修理コストおよび整備者の実際の修理コストのうち少なくとも１つを決定するよう動作可能である実行可能な部分をさらに含む、請求項１に記載のコンピュータプログラム製品。
【請求項２６】
部品およびその関連付けられた部品番号について削除、代替、および交換可能性を評価し、
１つ以上の部品の需要を直近の部品番号改訂に集合させ、
入手可能な部品番号の代替物を考慮するため代替部品番号の在庫をともに集合させるように、動作可能である実行可能な部分をさらに含む、請求項１に記載のコンピュータプログラム製品。
【請求項２７】
機器の製造をサポートするための部品の購買を予備品として用いられる部品の購買と同期させるように動作可能である実行可能な部分をさらに含む、請求項１に記載のコンピュータプログラム製品。